(57)【特許請求の範囲】
【請求項１】
一端部に取出口が形成された容器本体と、
上記取出口に設けられ、この取出口を塞ぐ仕切壁部と、この仕切壁部に形成された透孔と、上記透孔の上記容器本体と反対側に一周して断面Ｌ字形に切り欠かれた段部を有する中栓と、
上記中栓に取り付けられ、筒状の側面とこの側面の先端を閉鎖する上面部を有し、この上面部に形成された挿通孔と、この挿通孔の上記容器本体側に一周して断面Ｌ字形に切り欠かれた段部とを有する計量筒部材と、
上記中栓に設けられ、上記中栓の上記仕切壁部に形成された上記透孔と上記計量筒部材の上記挿通孔を結ぶ仮想線上に位置する棒状の軸部と、
上記計量筒部材の上記挿通孔に挿通され、上記軸部に嵌合した円筒部を有し、上記軸部の軸方向に摺動可能に取り付けられた弁部材と、
上記弁部材の、上記計量筒部材の上記挿通孔から突出した部分に着脱自在に取り付けられ、上記容器本体上部に被せられるキャップと、
を備え、
上記弁部材は、上記中栓の断面Ｌ字形の上記段部の内周側面及び当接面に連続して密着し上記透孔を閉塞する第一弁と、上記計量筒部材の上記段部の内周側面及び当接面に連続して密着し上記挿通孔を閉塞する第二弁とを有するとともに、上記挿通孔から外側へ突出した筒状の注出口と、上記注出口の基端部側に形成され上記注出口の側面に連通する透孔が設けられ、
上記注出口に形成され上記キャップ側へ突出する係合部と、上記キャップに形成され上記係合部に係止される被係合部とから成り、上記キャップと上記弁部材を適度な強さで係止する係合手段を有し、
上記弁部材の摺動により上記第一弁と第二弁が、上記中栓の上記透孔と上記計量筒部材の上記挿通孔を交互に切り換えて開閉し、
上記キャップを上記容器本体から外す際に上記弁部材が上記キャップに引かれて上記計量筒部材の外側へ向かって移動し、上記弁部材の上記第二弁が上記挿通孔を閉鎖するとともに、上記第一弁が上記中栓の上記透孔から離れて上記容器本体内と上記計量筒部内とを連通させ、
上記第一弁が上記中栓の上記透孔を閉じた状態で上記弁部材の上記第二弁が上記挿通孔を開いて上記弁部材に形成された注出口と上記計量筒部材の内部が連通しその計量筒部材内の液体を注出可能としたことを特徴とする定量注出容器。
【請求項２】
上記中栓の透孔周縁部は、上記計量筒部内周面に接した周縁部から上記透孔に向けて、上記容器本体側に向かって傾斜した斜面に形成されていることを特徴とする請求項１記載の定量注出容器。
【発明の詳細な説明】
【０００１】
【発明の属する技術分野】
この発明は、薬用育毛剤等の薬液や化粧液等を収容し、一回の使用量を計量して取り出すことができる定量注出容器に関する。
【０００２】
【従来の技術】
従来、例えば薬用育毛剤等の薬液を収容し、一回の使用量を計量して一定化する定量注出容器には、特開２０００−２７２６５０号公報他に開示されている定量注出容器があった。この定量注出容器は、上端に口筒を有する壜体と、前記口筒に密にかつ不動に組み付き、開放した中央部上端に、外鍔を有する栓体を設けた組付き体が設けられている。そして、この組付け体に密にかつ相対回動により一定ストロークで昇降変位すべく外装結合し、上昇限において、前記シール外鍔を上端開口部に密嵌入させる内筒片を中央に立設した切換え体が設けられている。さらに、該切換え体に密にかつ不動に外嵌して、該切換え体との間に一定容積の計量室を形成し、上端に注出口を開設した有頂筒状の操作体が設けられている。前記注出口内には、上端部を突出可能に嵌入する弁片の下端に、前記注出口の下端開口部に密接する弁座片を周設し、該弁座片と弁片との一体物に上方への弾力を付勢する弁体が形成された塗布栓が設けられている。そして、該塗布栓を覆って前記壜体の胴部上端に着脱自在に取り付けられるキャップ体が設けられている。
【０００３】
この定量注出容器の使用方法は、まず、キャップ体を壜体からはずし、操作体の位置を確認し計量状態とする。次に、容器を逆さまにし、薬液が計量室に満ちていることを確認する。そして、容器を上向きに戻して数秒間待ち、薬液の余分量が壜体に戻り、薬液の水位が計量線位置にくることを確認する。そして操作体を回して注出状態とし、再び容器を逆さまにして操作体の注出口を頭皮にトントンと押しつけて塗布する。使用後は、操作体を計量状態に戻して薬液が操作体の注出口から流れないようにし、キャップをしめて保管する。
【０００４】
【発明が解決しようとする課題】
上記従来の技術の場合、容器を逆さまにし、それを戻して薬液を計量し、操作体を回して塗布状態とし、再び容器を逆さまにして塗布するため、計量に伴う作業工程が多く面倒であった。また、定量注出容器の取出口に取り付ける部材が多く、構造も複雑なものであった。
【０００５】
また、定量注出容器の取出口に取り付ける部材の構造が簡単なものとして、実開昭６０−２４７５６号公報に開示されている定量注出用キャップがあった。これは、その内部を定量室と液溜め室に区分し定量室側に容器本体内部と連通する流出間を定量室内部へ突出させて設けるとともに液だめ室側にノズル部を設けてなるキャップ本体と、このキャップ本体のノズル部から摺動自在に挿入されて上記ノズル部と上記流出管を交互に開閉する弁体が設けられているものである。
【０００６】
しかし、この定量注出用キャップも、容器を逆さまにし、それを戻して薬液を計量し、弁体を移動させて塗布状態とし、再び容器を逆さまにして塗布するため、計量に伴う作業工程が多く面倒であった。
【０００７】
この発明は上記従来の問題点に鑑みてなされたものであり、簡単な構造で計量操作が簡単な定量注出容器を提供することを目的とする。
【０００８】
【課題を解決するための手段】
この発明は、一端部に取出口が形成された容器本体と、上記取出口に設けられこの取出口を塞ぐ仕切壁部とこの仕切壁部に形成された透孔と上記透孔の上記容器本体と反対側に一周して断面Ｌ字形に切り欠かれた段部を有する中栓と、上記中栓に取り付けられ筒状の側面とこの側面の先端を閉鎖する上面部を有し、この上面部に挿通孔とこの挿通孔の上記容器本体側に一周して断面Ｌ字形に切り欠かれた段部とを有する計量筒部材と、上記計量筒部材の上記挿通孔に挿通され挿通方向に移動可能に設けられた弁部材とを備え、上記弁部材は、上記中栓の上記段部に密着して上記透孔を閉塞する第一弁と、上記計量筒部材の上記段部に密着して上記挿通孔を閉塞する第二弁とを有するとともに、上記中栓に設けられた軸部に沿って摺動可能に設けられた定量注出容器である。そして、上記弁部材により、上記中栓の上記透孔と上記計量筒部材の上記挿通孔を交互に切り換えて開閉し、上記第一弁が上記中栓の上記透孔を閉じた状態で、上記弁部材の上記第二弁が上記挿通孔を開いて上記弁部材に形成された注出口と上記計量筒部材の内部が連通し、その計量筒部材内の液体を注出可能とした定量注出容器である。
【０００９】
さらに、上記弁部材の上記計量筒部材の上記挿通孔から突出した部分に着脱自在に取り付けられ上記容器本体上部に被せられるキャップと、上記弁部材または上記キャップに形成され上記キャップと上記弁部材を適度な強さで係止する係合手段が設けられ、上記キャップを上記容器本体から外す際に上記弁部材が上記キャップに引かれて上記計量筒部材の外側へ向かって移動し、上記弁部材の上記第二弁が上記挿通孔を閉鎖するとともに、上記第一弁が上記中栓の上記透孔から離れて上記容器本体内と上記計量筒部内とを連通させる。
【００１０】
また、上記弁部材には、上記挿通孔から外側へ突出した筒状の注出口と、上記注出口の基端部側に形成され上記注出口の側面を内外に連通する透孔が設けられている。そして、上記キャップと上記弁部材を適度な強さで係止する上記係合手段は、上記注出口に形成され上記キャップ側へ突出する係合部と、上記キャップに形成され上記係合部に係止される被係合部から成る。
【００１１】
また、上記中栓には、上記中栓の上記仕切壁部に形成された上記透孔と上記計量筒部材の上記挿通孔を結ぶ仮想線上に位置する棒状の軸部が設けられ、上記弁部材には、上記軸部に摺動可能に取り付けられる円筒部が設けられている。
【００１２】
上記中栓の透孔周縁部は、上記計量筒部内周面に接した周縁部から上記透孔に向けて、上記容器本体側に傾斜したすり鉢状等の斜面に形成されている。
【００１３】
上記計量筒部材は、内側が視認可能な透明又は半透明の合成樹脂等で形成されている。上記弁部材の上記第一弁と上記第二弁は、上記計量筒部材の内側に位置して形成され、この第一弁とこの第二弁の距離は、上記中栓の上記透孔と上記計量筒部材の上記挿通孔の距離より短く設定されている。
【００１４】
また、上記キャップには、このキャップを上記弁部材に取り付けるときに上記弁部材を押圧して上記計量筒部材の内側へ向かって移動させ、上記弁部材の上記第一弁により上記中栓の上記透孔を閉鎖させる押圧部が設けられている。
【００１５】
この発明の定量注出容器は、容器本体から内容液である薬液を取り出して使用するときは、まずキャップを弁部材から引き抜いてはずす。このとき、弁部材は係合手段によりキャップに引かれて計量筒部材の外側へ向かって移動し、弁部材の第二弁が挿通孔を閉鎖し第一弁は中栓の透孔から離れて計量筒部材内と容器本体が連通し計量状態となる。そして、容器本体を逆さまにすると容器本体内の薬液が、中栓の透孔を通過して計量筒部材内に充満し、計量筒部材の容積と同じ一定量が計量される。その状態のまま弁部材を頭部等の注出塗布対象に近づけ、弁部材の注出口の先端で注出塗布対象を押す。すると弁部材は計量筒部材の内側へ向かって移動し、第一弁が中栓の透孔を密閉するとともに第二弁は計量筒部材の挿通孔から離れて、計量筒部材内と注出口とが連通し内容液を注出可能状態となる。そして、計量筒部材内に充満した薬液が、計量筒部材の挿通孔から注出塗布対象に落下し、一定量の薬液が注出されるものである。
【００１６】
【発明の実施の形態】
以下、この発明の実施形態について図面に基づいて説明する。図１〜図４は、この発明の一実施形態の定量注出容器１０を示すもので、この実施形態の定量注出容器１０は有底筒状の容器本体１２を有し、容器本体１２はガラスや合成樹脂で作られている。容器本体１２の上端部には径が小さい円筒状の取出口１４が一体に形成され、取出口１４の外側面には雄ねじ１６が形成されている。
【００１７】
取出口１４には、固い合成樹脂で作られた中栓１８が嵌合されて取り付けられている。中栓１８には、取出口１４の内側に嵌合される円筒状の取付部２０が設けられ、取付部２０の上端部には、取出口１４の上端部に当接するフランジ部２２が一周して形成されている。フランジ部２２の内周縁部に連続して、取付部２０の開口部を閉鎖する仕切壁部２４が一体に形成されている。仕切壁部２４の中央には円形の透孔２６が形成されている。仕切壁部２４の透孔２６の両脇には、取付部２０の内側に延出する一対の支持部２７が形成され、支持部２７の先端同士は連結部２８で連結されている。連結部２８の中心には、支持部２７間で仕切壁部２４の上方に突出した円柱状の軸部３０が一体に設けられている。軸部３０の先端は、透孔２６を通過して仕切壁部２４の上方の所定位置に達している。
【００１８】
中栓１８の仕切壁部２４の上面には、後述する計量筒部材３６が嵌合して取り付けられるガイド突起３２がフランジ２２の上方に突出して環状に形成されている。ガイド突起３２の上面３２ａは、透孔２６に向かってすり鉢状に低くなっている。そしてガイド突起３２の上面３２ａの、透孔２６の周縁部には、断面Ｌ字形に切り欠かれた段部３４が、透孔２６を囲むように一周して形成されている。従って、ガイド突起３２の上面３２ａの位置は、段部３４の上方に位置している。
【００１９】
中栓１８のガイド突起３２には、計量筒部材３６が嵌合して取り付けられている。計量筒部材３６は、透明又は半透明の合成樹脂で作られ、円筒状の側面３６ａとこの側面の先端を閉鎖する上面部３６ｂを有し、側面３６ａと上面部３６ｂの境界部分は角部が丸められた段部が一周して形成されている。そしてこの上面部３６ｂの中央には、挿通孔３８が形成されている。挿通孔３８の内側側周面には、上面部３６ｂの内側に断面Ｌ字状に切りかかれた段部３９が一周して形成されている。そして計量筒部材３６の側面３６ａ下端部の内周面が、ガイド突起３２の側周面に嵌合して係止されている。
【００２０】
計量筒部材３６の内側には、弁部材４０が設けられている。弁部材４０には、中栓１８の軸部３０が摺動可能に嵌合した円筒部４２が、下方に開口されて設けられている。円筒部４２の開口された下端部には、円筒部４２の側周面から側方へ突出し中栓１８の透孔２６を塞いで段部３４に密着する第一弁４４が設けられている。円筒部４２の上端部の突き止まり付近の側周面には、側方へ突出し計量筒部材３６の挿通口３８を塞いで段部３９に密着する第二弁４６が設けられている。第一弁４４と第二弁４６の間隔は、中栓１８の透孔２６と計量筒部材３６の挿通孔３８の距離より短く設定され、弁部材４０は第一弁４４が中栓１８の透孔２６を閉鎖する注出状態と、第二弁４６が計量筒部材３６の挿通口３８を閉鎖する計量状態との間を摺動可能である。また、第一弁４４が透孔２６を塞いだ状態では、ガイド突起３２の上面３２ａは第一弁４４の上方に位置し、ている。
【００２１】
そして、第二弁４６の、円筒部４２と反対側の面には、挿通口３８の内径とほぼ等しい直径を有する円筒状の大径注出ノズル部４８が上方に突出して形成されている。そして、大径注出ノズル部４８の先端には、側周面が大径注出ノズル部４８より細く形成された小径注出ノズル部５０が連続して形成され、大径注出ノズル部４８と小径注出ノズル部５０の内側は同じ内径の注出口５１が連通している。大径注出ノズル部４８の基端部付近には、注出口５１に連通する一対の透孔５２が形成されている。そして、小径注出ノズル部５０の先端付近には、側方へふくらんで形成された係合部５４が小径注出ノズル部５０の側周面を一周して一体に形成されている。
【００２２】
また、容器本体１２の取出口１４には、着脱自在なキャップ５６が雄ねじ１６に螺合可能に設けられている。キャップ５６は、容器本体１２の取出口１４基端部付近から弁部材４０の小径注出ノズル部５０を覆う円筒形の側面５６ａを有し、側面５６ａの上端部には円形の上面部５６ｂが設けられている。キャップ５６の上面部５６ａ内側には、中央に弁部材４０の小径注出ノズル部５０の係合部５４に嵌合して係合される被係合部５８が形成されている。被係合部５８は、弁部材４０の係合部５４を包む円筒形に形成され、被係合部５８の内壁面中央部には内側に突出する膨出部６２が形成されている。また、キャップ５６の上面部５６ａの内側中央部には、被係合部５８の中心に、被係合部５８の突出方向に突出する嵌合突起６４が形成されている。嵌合突起６４は、小径注出ノズル部５０の注出口５１に嵌合し密閉すると共に、キャップ５６の上面部５６ａの内面に弁部材４０の小径注出ノズル部５０の先端が当接し、キャップ５６を閉めると小径注出ノズル部５０を介して、弁部材４０を計量筒部材３６内に押し込んだ状態にする。
【００２３】
次に、この実施形態の定量注出容器１０の使用方法について説明する。容器本体１２に育毛剤や養毛剤等の薬液や化粧用液を入れ、容器本体１２の取出口１４に、あらかじめ、弁部材４０と計量筒部材３６を取り付けた中栓１８を取り付ける。このとき、弁部材４０の円筒部４２には、中栓１８の軸部３０が嵌合される。弁部材４０の大径注出ノズル部４８は、計量筒部材３６の挿通口３８に挿通され、小径注出ノズル部５０は計量筒部材３６の外側に突出している。
【００２４】
さらに容器本体１２の取出口１４に、キャップ５６を取り付ける。キャップ５６の取り付け方法は、キャップ５６の被係合部５８が弁部材４０の小径注出ノズル部５０に押し当てられると、キャップ５６の被係合部５８がわずかに弾性変形して外側に開き、膨出部６２が小径注出ノズル部５０の係合部５４を乗り越えて弾性変形が元に戻り、膨出部６２が係合部５４の下方に位置する。このとき、キャップ５６の嵌合突起６４が弁部材４０の注出口５１に嵌合しながら弁部材４０を、計量筒部材３６の内側に向かって移動させ、図１に示すように弁部材４０の第一弁４４が中栓１８の透孔２６を閉鎖し段部３４に密着し、容器本体１２内の薬液が流出しない状態となる。
【００２５】
次に、容器本体１２から薬液を取り出して使用するときは、まずキャップ５６を外すと、弁部材４０の小径注出ノズル部５０から引き抜かれる。即ち、キャップ５６の被係合部５８の膨出部６２に、小径注出ノズル部５０の係合部５４が係止されているため、弁部材４０はキャップ５６の動きに伴って計量筒部材３６の外側へ向かって移動する。そして、弁部材４０は、第二弁４６が計量筒部材３６の挿通口３８を閉鎖して段部３９に密着し、第一弁４４が中栓１８の段部３４から離れて容器本体１２内と連通し計量状態となる。さらにキャップ５６を引き離すと、キャップ５６の被係合部５８が弾性変形して外側に開き、小径注出ノズル部５０の係合部５４から膨出部６２が外れ、キャップ５６が取り外される。
【００２６】
そして、この計量状態で容器本体１２を逆さまにすると、図２に示すように、容器本体１２内の薬液が中栓１８の透孔２６を通過して計量筒部材３６に流入して充満し、一定量が計量される。なお、第二弁４６は計量筒部材３６の挿通口３８を塞いでいるため、計量筒部材３６内の薬液が外に漏れることはない。この状態では、ガイド突起３２の上面３２ａが透孔２６に対して下方に向かって斜めに広がっている状態であり、薬液が確実に計量筒部材３６内に充満する。これは、上面３２ａが水平な面であると、容器本体１２を正確に逆さまにして垂直方向に向けないと、上面３２ａと計量筒部材３６の側壁との間に空気溜まりが形成されてしまい、薬液が計量筒部材３６内に充満せず、正確な計量ができないと言う問題を解決するものである。
【００２７】
そして、その状態のまま図４に示すように、頭部７０に近づけ、弁部材４０の小径注出ノズル部５０の先端で頭部７０を押す。すると、図３に示すように、小径注出ノズル部５０が計量筒部材３６内に押し下げられて、弁部材４０が計量筒部材３６の内側へ向かって移動する。そして第一弁４４が中栓１８の透孔２６を閉鎖して段部３４に密着し、第二弁４６は計量筒部材３６の挿通孔３８から離れ、弁部材４０の透孔５２が計量筒部材３６の内側に露出して注出口５１を開口させ注出可能となる。そして、計量筒部材３６内に充満していた薬液は、透孔５２を通って大径注出ノズル部４８，小径注出ノズル部５０の注出口５１を流れ、外側に出る。このとき第一弁４４は中栓１８の透孔２６を塞いでいるため、容器本体１２内の薬液は流出せず、容器本体１２内の薬液が余分に出ることが無く、一定量である。そして頭部７０に振りかけられた薬液を、適宜手で頭皮に刷り込む。
【００２８】
使用後は、再び容器本体１２にキャップ５６を取り付け、弁部材４０の第一弁４４が中栓１８の透孔２６を塞いだ計量状態で、安全に保管する。
【００２９】
この実施形態の定量注出容器１０は、簡単な構造と簡単な操作で、確実に一定量の薬液を計量し、正確に使用することができる。さらに、キャップ５６を外すことにより、自動的に弁部材４０を計量状態へ切り換えることができ、容器本体１２を逆さにして頭部７０に小径注出ノズル部５０を押し当てるだけで、自動的に計量、注出状態への弁部材４０の切り換え、注出を一度に行うことができ、作業工程が少なく、短時間で塗布することができる。
【００３０】
なお、この実施形態の定量注出容器は上記実施の形態に限定されるものではなく、素材や形状、各部材の形状等自由に変更可能である。キャップと弁部材を係止する係合部の形状も、確実に適度な力で係止されるものであればよい。また、中栓の軸部と、弁部材の円筒部の形状も、上記実施形態に限定されず、がたつき無く確実に弁部材が一定方向に移動されるものであればよい。また、用途は、薬品や化粧品、その他液体を収容して定量取り出すものであれば良く、上記実施形態には限定されない。
【００３１】
【発明の効果】
この発明の定量注出容器は、簡単な構造と簡単な操作で、確実に一定量の薬液を計量し、正確に定量を注出して使用することができる。さらに、容器のコストも安価にすることができる。そして、これにより、高価な薬用育毛剤等の薬液や化粧品等の液を無駄に使用することがなく、経済的であり、安全で効果的な使用を可能にする。しかも、キャップの操作により弁部材が移動して、計量可能な状態とし、逆さまにして、注出塗布対象に弁部材を当接させるだけで大量の注出が可能となるものであり、極めて操作性がよい。さらに、計量時にも空気等が入りにくく、正確な計量を可能としている。
【図面の簡単な説明】
【図１】  この発明の一実施形態の定量注出容器の縦断面図である。
【図２】  この実施形態の定量注出容器の、弁部材が計量状態にあるときの断面図である。
【図３】  この実施形態の定量注出容器の、弁部材が注出状態にあるときの断面図である。
【図４】  この実施形態の定量注出容器の、使用状態を示す斜視図である。
【符号の説明】
１０  定量注出容器
１２  容器本体
１４  取出口
１８  中栓
２０  取付部
２２  フランジ部
２４  仕切壁部
２６，５２  透孔
３０  軸部
３６  計量筒部材
３８  挿通口
４０  弁部材
４２  円筒部
４４  第一弁
４６  第二弁
４８  大径注出ノズル部
５０  小径注出ノズル部
５１  注出口
５４  係合部
５６  キャップ
５８  被係合部
６２  膨出部
６４  押圧突起
【図１】
0003759428.tif 000002
【図２】
0003759428.tif 000003
【図３】
0003759428.tif 000004
【図４】
0003759428.tif 000005